Podtech/llm-jp-corpus-v4-ja_patent huggingface dataset:
(57)【要約】【課題】  本考案は、防錆を目的としたメッキを施しているので、使用後は簡単な水洗いをするだけでよい。また、釣竿への装着部材に、通常のゴム製品と比較して劣化が少なく、伸縮自在のウレタンゴムをスパイラル状に形成して使用しているので、しっかりと釣竿に固着でき、力任せに釣竿を振っても、鈴が外れて紛失する心配がないという安心感を提供できる。【解決手段】  本考案は、喰い感知鈴２に喰い感知鈴取付リング部１を設け、釣竿装着スパイラル部ａ６の片端に釣竿装着円錐部ａ４を設け、釣竿装着円錐部ａ４の片端に喰い感知取付芯３を設け、さらに、喰い感知取付芯３に釣竿装着円錐部ｂ５を設け、釣竿装着円錐部ｂ５に釣竿装着スパイラル部ｂ７を設け、喰い感知鈴取付リング部１に喰い感知取付芯３を貫着する【選択図】図１
0003134904.tif 000002
【実用新案登録請求の範囲】
【請求項１】
喰い感知鈴に喰い感知鈴取付リング部を設け、釣竿装着スパイラル部ａの片端に釣竿装着円錐部ａを設け、釣竿装着円錐部ａの片端に喰い感知取付芯を設け、さらに、喰い感知取付芯に釣竿装着円錐部ｂを設け、釣竿装着円錐部ｂに釣竿装着スパイラル部ｂを設けることを特徴とする喰い感知鈴。
【考案の詳細な説明】
【技術分野】
【０００１】  本考案は、喰い感知鈴に喰い感知鈴取付リング部を装備し、釣竿装着スパイラル部に釣竿装着円錐部を設け、釣竿装着円錐部に喰い感知取付芯を設け、さらに、喰い感知取付芯で喰い感知鈴を係着した食い感知鈴に関するものである。
【背景技術】
【０００２】  金属製のクリップに鈴を取り付け、クリップを直接釣竿に挟んで取り付けていた。
【考案の開示】
【考案が解決しようとする課題】
【０００３】  背景技術で述べた前者においては、クリップや鈴が海水により錆びてしまうという欠点を有していた。また後者においては、釣竿にクリップで取り付けていたので、クリップの接触面が極小となり、竿を力任せに振った際、鈴が外れて紛失してしまうという欠点を有していた。
【課題を解決するための手段】
【０００４】  本考案は、喰い感知鈴に喰い感知鈴取付リング部を設け、釣竿装着スパイラル部ａの片端に釣竿装着円錐部ａを設け、釣竿装着円錐部ａの片端に喰い感知取付芯を設け、さらに、喰い感知取付芯に釣竿装着円錐部ｂを設け、釣竿装着円錐部ｂに釣竿装着スパイラル部ｂを設け、喰い感知鈴取付リング部に喰い感知取付芯を貫着することにより問題点を解決している。
【考案の効果】
【０００５】  上述のように、本考案の喰い感知鈴は、防錆を目的としたメッキを施しているので、使用後は簡単な水洗いをするだけでよい。また、釣竿への装着部材に、通常のゴム製品と比較して劣化が少なく、伸縮自在のウレタンゴムをスパイラル状に形成して使用しているので、しっかりと釣竿に固着でき、力任せに釣竿を振っても、鈴が外れて紛失する心配がないという安心感をも提供できる。
【考案の実施するための最良の形態】
【０００６】  喰い感知鈴取付リング部に喰い感知取付芯が貫着され、その両端に釣竿装着円錐部、さらに、釣竿装着スパイラル部が装備されることにより、各部材が一体化される。釣竿の竿先の大小にかかわらず、スパイラル部をほどいて竿先に巻着させれば、どんなに強く竿を振っても鈴が外れることなく、釣りが終わって回収する際、簡単に取り外しができ、何度も繰り返し使用できる。
【実施例】
【０００７】  以下、添付図面に従って一実施例を説明する。１は直径２ｍｍ〜３ｍｍ程度を有する喰い感知鈴取付リング部であり、直径１２ｍｍ〜１６ｍｍを有する２の喰い感知鈴の下方に装備されている。直径１．５ｍｍ〜２．５ｍｍを有する３の喰い感知取付芯の両端には底辺の直径が６．５ｍｍ〜８ｍｍに成形された４の釣竿装着円錐部ａ、５の釣竿装着円錐部ｂが、さらに、４の釣竿装着円錐部ａ、５の釣竿装着円錐部ｂには各々ウレタンゴムを素材とし、直径１．５ｍｍ〜２．５ｍｍの棒状の原材料を、直径６．５ｍｍ〜８ｍｍのスパイラル状にした、６の釣竿装着スパイラル部ａ、７の釣竿装着スパイラル部ｂが連設されている。【０００８】  この喰い感知鈴は、ステンレス又はメッキを施した鈴を使用することが好ましい。【０００９】  連接された、３喰い感知取付芯、４釣竿装着円錐部ａ、５釣竿装着円錐部ｂ、６釣竿装着スパイラル部ａ、７釣竿装着スパイラル部ｂの素材であるウレタンゴムには、蓄光材を混練し発光作用を促すほうが好ましい。
【図面の簡単な説明】
【００１０】
【図１】  本考案の斜視図である。
【符号の説明】
１．喰い感知鈴取付リング部
２．喰い感知鈴
３．喰い感知取付芯
４．釣竿装着円錐部ａ
５．釣竿装着円錐部ｂ
６．釣竿装着スパイラル部ａ
７．釣竿装着スパイラル部ｂ
【図１】
0003134904.tif 000003
(57)【要約】      （修正有）【課題】コップに対して、ペットボトルキャップが挿入できる為の窪みを、且つ、この窪み部分を隠す足を設けることにより、ペットボトルの開閉及びコップとペットボトルの保管を容易にして、ペットボトルの口飲みが苦手な人の不便性を解消する。【解決手段】コップに対して、ペットボトルキャップが挿入できる為の側面に凹凸を施した円錐状の窪みを、且つ、この窪み部分を隠す高さを持つ足を設けることにより、ペットボトルの開閉及びコップとペットボトルの保管を容易にして、ペットボトルの口飲みが苦手な人の利便性に役立つ。【選択図】図１
0003134903.tif 000002
【実用新案登録請求の範囲】
【請求項１】
コップの底に、ボトルキャップサイズと同程度の円錐状の窪みを、且つ、その窪みの側面部に縦の凹凸を、また、コップの下部外周部にこの窪みを隠せる高さを有する足を設けることにより、この窪み部分にボトルのキャップを差し込んでコップの開閉と保管を容易にできるコップ。
【考案の詳細な説明】
【技術分野】
【０００１】  本考案は、ペットボトルキャップサイズと同程度の窪みと足を設けたコップに関するものである。
【背景技術】
【０００２】  ペットボトルは、５００ミリリットルが主流であるが、そのキャップは小さく、開けずらいこと。また、５００ミリリットルの飲料ボトルを飲む際に、口をつけて飲まなければならなく、女性や高年者等の中には、口飲みに対して抵抗があった。
【考案の開示】
【考案が解決しようとする課題】
【０００３】  ペットボトルのキャップは小さくて、非力な女性や高年者には、開閉し辛く、且つ、口飲みに抵抗がある者が多い。また、ペットボトルのキャップを捨てる際に、外してすてなければならない。従って、コップの底面にペットボトルキャップと同サイズ程度の円錐状の窪みを、且つ、コップの下部外周部に足を設けることにより、キャップの開閉及びコップ及びキャップの保管が容易になり、前述の問題点を解決しようとするものである。
【課題を解決するための手段】
【０００４】  本考案は、コップの底にペットボトルキャップサイズ程度の円錐状の窪みを、且つ、その窪みの側面部に縦の凹凸を、また、コップの底部外周部に足を設けて、ボトルのキャップをその窪みに差し込むことができるコップであり、このようなコップにより問題点を解決している。
【考案の効果】
【０００５】  上述のように、本考案のコップにおいて、このコップに設けた凹凸兼円錐状の窪みがペットボトルキャップに喰い込むことでキャップがコップに固定され、コップの底の外周部を回すことにより、容易にキャップを開閉することができ、また、ペットボトル飲料を飲む際には、このコップを使用することにより、口飲みせずに、更に、ペットボトル飲料を保存する場合には、このコップを下向きで一体化保管できる効果がある。
【考案を実施するための最良の形態】
【０００６】  コップの底面にペットボトルキャップと同じぐらいの円錐状窪みを設け、この窪みの入り口は、キャップよりやや広く、また、窪みの奥は狭くし、キャップを喰い込むようにする。また、この窪みの側面には、縦に凹凸のラインを設けて、滑りにくくする。更に素材コストの削減及び軽量化の為に、窪み部分だけを残し、コップ下方部の外周にこの窪み部分を隠せるだけの高さを持つ足を設ける。このコップをペットボトルのキャップに差し込むことで、キャップの開閉と保管が容易になる。
【実施例】
【０００７】  以下、添付図面に従って一実施例を説明する。１はコップの窪み部分であり、２は窪み部分を隠す足であり、この部分を手に持ち、回すことでキャップの開閉を容易にしている。【０００８】  ３は縦に設けた凹凸部であり、これにより、キャップを滑りにくくしている。【０００９】  ６から７の幅は、キャップより広く、また、４から５の幅をキャップより狭くする事により、キャップがやや潰れて、コップとキャップの固定度を高めている。【００１０】  ８はコップの窪みの底面部であり、この部分を押すことにより、喰いこんだキャップを取り外すことができる。
【図面の簡単な説明】
【００１１】
【図１】  コップを上向きに置いた時の斜視図である。
【図２】  コップを下向きに置いた時の斜視図である。
【符号の説明】
【００１２】  １  コップ下部の窪み部
２  コップ下部の足部
３  窪み部の凹凸部
４  窪み部底面の半径先端部
５  窪み部底面の半径先端部
６  窪み部入り口の半径先端部
７  窪み部入り口の半径先端部
８  窪み部の底面
【図１】
0003134903.tif 000003
【図２】
0003134903.tif 000004
(57)【要約】      （修正有）【課題】足指の付け根近傍部分の水虫、湿疹、悪臭等を効果的に予防し、且つ見栄えを損なうことなくファッション性に富んだ着脱が容易な足指リングを提供する。【解決手段】全体としてリング状を形成し、外側部分が見栄えの良いファッション性に富んだ光沢糸又は意匠糸等を配合した繊維布帛と、内側部分が抗菌性繊維又は吸水吸湿性繊維を配合した繊維布帛の多層構造からなり抗菌防臭等の多機能効果を有する足指リング。及び見栄えの良い光沢糸又は意匠糸等を配合した繊維布帛帯と、抗菌性繊維又は吸水吸湿性繊維を配合した繊維布帛帯のいくつかの多帯状構造で形成された抗菌防臭等の多機能効果を有する足指リング。また繊維布帛が編物又は紐筒体であり、見栄えの良い光沢糸又は意匠糸としてラメ糸、金糸、銀糸、反射糸、蛍光糸、ループヤーン等の変わり糸を有することを特徴とする足指リング。【選択図】図２
0003134902.tif 000002
【実用新案登録請求の範囲】
【請求項１】
全体としてリング状を形成し、外側部分が見栄えの良い光沢糸又は意匠糸等を配合した繊維布帛と、内側部分が抗菌性繊維又は吸水吸湿性繊維を配合した繊維布帛の多層構造からなり、足指の根元部分に挿入して抗菌防臭等の多機能効果を有する足指リング
【請求項２】
全体としてリング状を形成し、見栄えの良い光沢糸又は意匠糸等を配合した繊維布帛帯と、抗菌性繊維又は吸水吸湿性繊維を配合した繊維布帛帯のいくつかの多帯状構造で形成された、足指の根元部分に挿入して抗菌防臭等の多機能効果を有する足指リング
【請求項３】
繊維布帛が編物又は紐体であることを特徴とする請求項１又は請求項２記載の抗菌防臭等の多機能効果を有する足指リング
【請求項４】
見栄えの良い光沢糸又は意匠糸としてラメ糸、金糸、銀糸、反射糸、蛍光糸、ループヤーン等の変わり糸を有することを特徴とする請求項１又は請求項２記載の足指リング。
【考案の詳細な説明】
【技術分野】
【０００１】本考案は足指リングに関するものである。
【背景技術】
【０００２】従来の足指リングは、足指の付け根近傍部分の水虫、湿疹、悪臭等を予防するため、抗菌剤が含有又は付着された抗菌性の弾性糸又は非弾性糸、又は柔軟性と吸水吸湿性に富む弾性糸又は非弾性糸の併用のみで形成されていた。しかしながら色合い、意匠性の観点から非常に見栄えが悪く、特に女性が装着するには抵抗があった。
【特許文献１】特開平１１−８９８７５
【考案の開示】
【考案が解決しようとする課題】
【０００３】本考案は上記課題を解決し、近年増加傾向にある女性等の足指の付け根近傍部分の水虫、湿疹、悪臭等の問題を効果的に予防し、且つ見栄えを損なうことなくファッション性に富んだ着脱が容易な足指リングを提供するものである。
【課題を解決するための手段】
【０００４】上記課題を解決するべく鋭意検討し、本考案は多層型構造の多機能効果の足指リング及び多帯状型構造の多機能効果の足指リングを提供する【０００５】より具体的には
１．全体としてリング状を形成し、外側部分が見栄えの良いファッション性に富んだ光沢糸又は意匠糸等を配合した繊維布帛と、内側部分が抗菌性繊維又は吸水吸湿性繊維を配合した繊維布帛の多層構造からなる抗菌防臭等の多機能効果を有する足指リング。【０００６】２．見栄えの良いファッション性に富んだ光沢糸又は意匠糸等を配合した繊維布帛帯と、抗菌性繊維又は吸水吸湿性繊維を配合した繊維布帛帯のいくつかの多帯状型構造で形成された抗菌防臭等の多機能効果を有する足指リング。【０００７】３．繊維布帛が編物又は紐筒体であることを特徴とし、弾性糸又は非弾性糸を使用した上記１又は２記載の足指リング。
４．見栄えの良いファッション性に富んだ光沢糸又は意匠糸としてラメ糸、金糸、銀糸、反射糸、蛍光糸、ループヤーン等の変わり糸を使用した上記１又は２記載の足指リング。
【考案の効果】
【０００８】本考案によれば、足指の付け根近傍部分の水虫、湿疹、悪臭等の問題を効果的に予防し、且つ見栄えを損なうことなくファッション性に富んだ着脱が容易な足指リングが得られる。また家庭洗濯も容易で構造上安価であり、女性に限らず男性も違和感無く使用できる。
【考案を実施するための最良の形態】
【０００９】本考案の繊維布帛は特に限定されるものではなく、一般的な織物・編物・不織布等全ての繊維布帛状製品を含む。また繊維布帛を構成する繊維としては、綿、羊毛、絹等の天然繊維、ポリエステル、ナイロン等の合成繊維、レーヨン等の再生繊維、トリアセテート等の半合成繊維があげられる。また、これらの混紡、混繊、交織品であってもよい。見栄え良くファッション性を高めるため、光沢糸又は意匠糸にはラメ糸、金糸、銀糸、反射糸、蛍光糸、ループヤーン等の変わり糸等を使用したものがよい。足指にはめるリングの観点から、編物又は紐筒状であることが好ましく、また着脱の容易さを求めるためウレタン系弾性糸やウーリー糸等の弾性糸を用いたものがよい。
【実施例】
【００１０】（実施例１）
外側部分に見栄えの良いファッション性に富んだ光沢糸（ポリエステル糸とレーヨン糸を混繊したラメ糸、１３５デシテックス、全体混率４３％）を配合した繊維布帛帯を用いた。内側部分に抗菌性繊維（アクリル糸の銅イオン結合繊維、８４デシテックス、全体混率３４％）と弾性糸（ナイロン糸でカバーリングされたポリウレタン糸、ポリウレタン糸４４デシテックス、全体混率１５％、ナイロン糸７８デシテックス、全体混率８％）を配合した繊維布帛帯を用いた。緯編機（１０ゲージ）で天竺編２層構造に編み上げた。（図１）【００１１】（実施例２）
中央部分に見栄えの良いファッション性に富んだ光沢糸（ポリエステル糸とレーヨン糸を混繊したラメ糸、１３５デシテックス、全体混率４３％）を配合した繊維布帛帯を用いた。両端部分に抗菌性繊維（アクリル糸の銅イオン結合繊維、８４デシテックス、全体混率３４％）と弾性糸（ナイロン糸でカバーリングされたポリウレタン糸、ポリウレタン糸４４デシテックス、全体混率１５％、ナイロン糸７８デシテックス、全体混率８％）を配合した繊維布帛帯を用いた。緯編機（１０ゲージ）で多帯状型構造に編み上げた。（図２）【００１２】完成した足指リングは日本繊維製品品質技術センターでの黄色ぶどう球菌の抗菌性試験において、洗濯前及び家庭洗濯１０回後も静菌活性値３．７以上と良好な結果が得られ、抗菌効果が証明された。
【図面の簡単な説明】
【００１３】実施例１及び実施例２を具体的図面にて以下に説明する。【００１４】
【図１】外側部分に見栄えの良いファッション性に富んだ光沢糸又は意匠糸等を配合した繊維布帛と、内側部分に抗菌性繊維又は吸水吸湿性繊維を配合した繊維布帛の２層構造からなる抗菌防臭等の多機能効果を有する足指リング。
【００１５】
【図２】中央部分に見栄えの良いファッション性に富んだ光沢糸又は意匠糸等を配合した繊維布帛帯と、両端部分に抗菌性繊維又は吸水吸湿性繊維を配合した繊維布帛帯の多帯状型構造で形成された抗菌防臭等の多機能効果を有する足指リング。足指への装着時には、両端部分の抗菌性繊維又は吸水吸湿性繊維を配合した繊維布帛帯を内側へ折り曲げて足指へはめ込む。肌に接触する内側部分は抗菌性繊維又は吸水吸湿性繊維となる。足指から外して広げれば容易に家庭洗濯が可能であり、また洗濯後の乾燥時間も比較的早い。
【図１】
0003134902.tif 000003
【図２】
0003134902.tif 000004
(57)【要約】      （修正有）【課題】登山やスポーツなど野外で行動する時に雨などによって濡れることを防ぐことが出来る帽子の提供。【解決手段】日よけ用の帽子に撥水生地の帽子などで覆う。【選択図】図１
0003134908.tif 000002
【実用新案登録請求の範囲】
【請求項１】
帽子本体のクラウン外周部に任意の所にポケットを設けてそのポケット内に収納してある他のもう一つの帽子で帽子本体を覆う帽子。
【考案の詳細な説明】
【技術分析】
【０００１】本考案は季節を問わず年間使用出来る帽子である。
【背景技術】
【０００２】帽子本体のクラウン外周部に任意の所にポケットを設けてそのポケット内に他のもう一つの帽子を収納した。
【考案の開示】
【考案が解決しようとする課題】
【０００３】帽子は日よけや防寒及び雨に対応する帽子がある。
これを一つの帽子に依って対応出来ないかと考えた。
【課題を解決する為の手段】
【０００４】本考案は帽子本体のクラウン外周部に任意の所にポケットを設けてそのポケット内に他のもう一つの帽子を収納し、雨や寒さで必要な時に取り出し帽子本体を覆うことによって解決される。
【考案の効果】
【０００５】この考案によって旅行やスポーツなどの野外での急な雨や寒さに対応出来る。
【考案を実施する為の最良の形態】
【０００６】図面にもとづいて説明する。
図１で１は帽子本体で２はクラウン（頭部）、３はブリム（庇）、４はポケットで５はボタン止めである。
図２で６は他のもう一つの帽子で７はボタン付テープである。
図３で６は他のもう一つ帽子で帽子本体１を覆った状態で７のボタン付テープで５のボタン止めに付けた状態である。
【産業上の利用可能性】
【０００７】作業用に使用している時の急な雨などに便利である。
【図面の簡単な説明】
【０００８】
【図１】帽子本体のポケットに他のもう一つの帽子を収納した状態である。
【図２】帽子本体のポケットから他のもう一つの帽子を取り出した状態である。
【図３】帽子本体にポケットから出した他のもう一つの帽子で覆ってボタンで止めた状態である。
【符号の説明】
１  帽子本体である。
２  帽子のクラウン（頭部）部分である。
３  帽子のブリム（庇）部分である。
４  クラウン外周部に取り付けたポケットである。
５  他のもう一つの帽子に付属するボタン付テープを受け止めるボタン止めである。
６  帽子本体を覆う為の他のもう一つの帽子
７  帽子本体を覆う為の他のもう一つの帽子を固定する為のボタン付テープである。
【図１】
0003134908.tif 000003
【図２】
0003134908.tif 000004
【図３】
0003134908.tif 000005
(57)【要約】 【課題】 安全性の向上と汚れたキッチンマットを取り替える時間の短縮を提供する。【解決手段】  床面と密着する面が滑り止めのついた人工芝生なので、その上で作業してもズレたりしません。よって安全です。滑り止めのついた人工芝生の上に不織布を材質としたシートを置く。シートが汚れたらシートを外して、汚れたシートは捨て、新しいシートと取り替える。洗い物をする所から調理する所までの床面に敷き、洗い物調理などによる飛び散る汚れから床面を保護出来る。人工芝生と不織布を材質としたシートは、かなり密着度が良い。【選択図】  図３
0003134928.tif 000002
【実用新案登録請求の範囲】
【請求項１】
床面に敷き、調理作業中の油滴やその他の液体状の汚れから床面を保護するキッチンマットにおいて、下面側が滑り止め加工された人工芝生の上に該人工芝生と略同一形状の不織布を脱着自在に載置きして、構成されることを特徴とするキッチンマット。
【請求項２】
カラー絵柄、模様などを印刷したキッチンマット幅の不織布を材質としたシートであることを特徴とする請求項１記載のキッチンマット。
【考案の詳細な説明】
【技術分野】
【０００１】
本考案は、キッチンマットに関するものである。
【背景技術】
【０００２】
床面に敷く長さが流し台から調理するところまでしかなく、揚げ物をしたり、炒め物をしたり、特に揚げ物は、油滴が床に飛び散り、ガスレンジ周辺の床面が一番汚れるのにガスレンジ周辺までのキッチンマットがない。流し台からガスレンジ台周辺までの長いキッチンマットがあったとしても、厚手の敷物なので、洗濯する時など重くて労力を必要とする。
洗い物をするとけっこうな水が飛び散り、キッチンマットが濡れて床面まで湿ってしまう。キッチンマットが厚手なので洗濯したとき乾きが悪いし、洗濯する回数が増えてくると、キッチンマットの色があせてきたり、布がよれてきたりして見栄えが悪くなり、買い換えたくなる。
【０００３】
調理作業中にひどく汚れた時、洗濯したばかりなのにまたすぐ洗濯しなければならない。
【０００４】
キッチンマットに滑り止めが施されていない物もあり、滑るなどの危険な面もあるし、厚手の不織布の為つまずく時もある。
【考案の開示】
【考案が解決しようとする課題】
【０００５】
流し台から調理する所、ガスレンジ台までの長さのキッチンマットがあればキッチンマットを2枚敷く必要が無い。
【０００６】
従来のキッチンマットは厚手の敷物なので、流し台から調理する所、ガスレンジ台までの長さのキッチンマットを洗濯するとなると、持ち上げるにも労力を必要とする。
【０００７】
水が飛び散りキッチンマットが濡れてしまう。毎日キッチンマットを干して、乾かせば良いのですが、濡れたままのキッチンマットをそのまま敷いて置くと床面が木の場合、色が変わったり、カビたりする。
【０００８】
キッチンマットに滑り止めがない為動いて危険な面があり、更に厚手の為つまずく時があったりする。
【課題を解決するための手段】
【０００９】
床面に敷く滑り止め付人工芝生は、長さが流し台の所からガスレンジ周辺まで欲しい分だけ切って貰って買う事が出来る。従来のキッチンマットのように、2枚敷かなくても1枚で全面に敷けるのでスッキリした印象になる。
【００１０】
人工芝生のキッチンマットは段差がほとんどなく、薄いのでつまずきにくい。
【００１１】
人工芝生のキッチンマット上に載せて敷くシートは、一定の長さの単位で販売するので、敷く分だけ自分で切る事が出来る。
【００１２】
人工芝生の上に敷くシートは薄く、取り替える作業の労力を必要としない。
【００１３】
シートは使い捨てなので洗濯の必要がなく、時間の短縮となる。働いているなどの時間に余裕のない人には、大いに助かる。
【００１４】
人工芝生のキッチンマットは、床面と密着する滑り止めの部分がゴムなので、飛び散りの水や油滴などを床面に通さない。よって、床面の色が変わったり、カビたりする事などから保護出来ます。
【００１５】
人工芝生の上に敷いてあるシートが取り外しなので、汚れた所だけ切って、新しいシートを切り取った分だけ切って、人工芝生の上に載せて置くだけで清潔なキッチンマットになる。
【００１６】
キッチンマットのシート全体が汚れたら全体のシートを外して捨てて、新しいシートを取り替える。それだけで洗う必要がなく、シートを捨てるだけで楽してキッチンマットが清潔で綺麗になる。
【００１７】
キッチンマットのシートがカラーや絵柄なので、使っているシートを選べてキッチンの雰囲気を変えられる。
【考案の効果】
【００１８】
以上の発明より明らかな様に、本発明のキッチンマットは汚れたシートの使い捨てによって、洗う手間がいらないので時間が短縮出来る。
【００１９】
キッチンマットが薄い為、つまずきにくい。
【００２０】
キッチンマットに滑り止めが施してあるので、マット上で動いたりしてもズレる事がなく、安心して調理出来る。
【００２１】
床面に密着している滑り止め全体がゴムのキッチンマットなので、洗い物や調理、ガスレンジ台周辺のこぼしたり、飛び散ったりする汚れなどから床面を保護出来る。
【００２２】
いろいろな種類のカラーシート、絵柄シートによって、シートを使い切ったら、今度はどの絵柄にしようかなとその人の個性に合わせて選べて楽しみがある。
【図面の簡単な説明】
【００２３】
【図１】(a)本考案のキッチンマットの上側になる不織布シートである。              (b)(a)の表面を拡大した図である。
【図２】(a)本考案のキッチンマットの下側になる滑り止め付人工芝生である。              (b)(a)の表面を拡大した図である。
【図３】キッチンマットの使用状態を示す図である。
【符号の説明】
【００２４】
１  不織布シート
２  滑り止め付人工芝生
【図１】
0003134928.tif 000003
【図２】
0003134928.tif 000004
【図３】
0003134928.tif 000005
(57)【要約】【課題】本考案は、ＬＡＮケーブルや光ファイバケーブル等を接続する際に、外側を覆うシースを剥ぎ取りやすくした内側ノッチ入りシース付きケーブルを提供することを目的とするものである。【解決手段】本考案は、上記の課題を解決するために、複数のケーブル又は複数の線心を略円形状に配置して束ね、外側を内周面に複数のノッチを長手方向に入れたシースで覆ったことを特徴とする内側ノッチ入りシース付きケーブルの構成とした。【選択図】図１
0003134976.tif 000002
【実用新案登録請求の範囲】
【請求項１】
複数のケーブル又は複数の線心を略円形状に配置して束ね、外側を内周面に複数のノッチを長手方向に入れたシースで覆ったことを特徴とする内側ノッチ入りシース付きケーブル。
【考案の詳細な説明】
【技術分野】
【０００１】
本考案は、ＬＡＮケーブルや光ファイバケーブル等を接続する際に、外側を覆うシースを剥ぎ取りやすくした内側ノッチ入りシース付きケーブルに関するものである。
【背景技術】
【０００２】
ケーブル敷設時に、ケーブルを中継したり、端子に繋げたり、モジュラープラグを取り付けたりする際には、シースを剥がして接続する必要があり、シースを剥がしやすいように、シースの外周面にノッチを入れたケーブルなども存在する。
【０００３】
特許文献１に記載されているように、内被の外面側にノッチを長手方向に沿って設けたＬＡＮ用多対ケーブルの発明も公開されている。
【特許文献１】特開２００６−２９４５９０号公報
【考案の開示】
【考案が解決しようとする課題】
【０００４】
しかしながら、シースの外周面にノッチを設けると、見映えも悪いし、引っ掛かった際にノッチの位置から切れ目ができる場合もある。
【０００５】
そこで、本考案は、ケーブルを接続する際にシースを剥ぎ取りやすくした内側ノッチ入りシース付きケーブルを提供することを目的とするものである。
【課題を解決するための手段】
【０００６】
本考案は、上記の課題を解決するために、複数のケーブル又は複数の線心を略円形状に配置して束ね、外側を内周面に複数のノッチを長手方向に入れたシースで覆ったことを特徴とする内側ノッチ入りシース付きケーブルの構成とした。
【考案の効果】
【０００７】
本考案は、シースの内周面に複数のノッチを設けたので、ケーブルを接続する際にシースを剥ぎ取りやすい。また、シースの外周面は平坦なので、引っ掛かることもないし、見映えも良い。
【考案を実施するための最良の形態】
【０００８】
本考案は、ケーブルを接続する際にシースを剥ぎ取りやすくするという目的を、複数のケーブル又は複数の線心を略円形状に配置して束ね、外側を内周面に複数のノッチを長手方向に入れたシースで覆うことで実現した。
【実施例１】
【０００９】
以下に、添付図面に基づいて、本考案である内側ノッチ入りシース付きケーブルについて詳細に説明する。図１及び図２は、本考案である内側ノッチ入りシース付きケーブルの断面図である。
【００１０】
内側ノッチ入りシース付きケーブル１は、複数のケーブル５を介在６の周りに配置して略円形状にしたものを押え巻きテープ４で束ね、外側を内周面にノッチ３を入れたシース２で覆ったことを特徴とする。
【００１１】
図１及び図２は内部のケーブル５が６ユニットの場合の例であり、各ケーブル５を六角形状に隣接させて配置する。尚、ユニット数は、４ユニット又は８ユニット以上にすることもでき、同様に円形に近くなるように配置する。
【００１２】
ケーブル５は、４対の対撚線をまとめ、場合によってはシース等で被覆したものである。尚、芯数又は対数は使用態様により適宜変更することができ、また、光ファイバケーブル等に代えることもできる。
【００１３】
配置したケーブル５同士の中心に存在する間隙には介在６充填させても良い。介在６は、ポリプロピレンやポリ塩化ビニル等の合成繊維であり、ケーブル５の配置が崩れるのを防止し、また、漏話を抑制するため、ケーブル５間の距離を確保する。
【００１４】
また、配置したケーブル５がばらけないように全体を押え巻きテープ４で巻いて束ねることもできる。尚、押え巻きテープ４は、薄い帯状であり、螺旋状に巻き付ける。さらに、その上からシース２で被覆する。
【００１５】
シース２は、塩化ビニル混和物や耐燃性ポリエチレン等の合成樹脂を管状に成形したものであり、内部に配置したケーブル５を保護する。シース２の内周面には、ケーブル５の長手方向に、ノッチ３を設ける。
【００１６】
ノッチ３は、三角形状、線状又は円形状に切り込みを入れた溝であり、引き裂くのに適した数や位置で設ける。例えば、ノッチ３を２つ設ける場合は、対向した位置に設け、ノッチ３を４つ設ける場合は、９０度間隔で設ける。尚、ノッチ３は、シース２だけでなく、内部シースなど配線時に剥ぎ取る必要のあるものに設けることができる。
【００１７】
図３は、本考案である内側ノッチ入りシース付きケーブルのノッチを引き裂いた状態の斜視図である。ケーブル敷設時に、ケーブルを中継したり、端子に繋げたり、モジュラープラグを取り付けたりする際には、ノッチ３を引き裂いてシース２を剥がす。
【００１８】
ノッチ３の位置はシース２が薄くなっているため、容易に引き裂くことが可能であり、配線作業の手間が大幅に軽減される。また、ノッチ３が引裂時のガイドとなるため、引き裂いた際の見た目も良い。
【図面の簡単な説明】
【００１９】
【図１】本考案である内側ノッチ入りシース付きケーブルのノッチが２つの場合の断面図である。
【図２】本考案である内側ノッチ入りシース付きケーブルのノッチが４つの場合の断面図である。
【図３】本考案である内側ノッチ入りシース付きケーブルのノッチを引き裂いた状態の斜視図である。
【符号の説明】
【００２０】
１        内側ノッチ入りシース付きケーブル
２        シース
３        ノッチ
４        押え巻きテープ
５        ケーブル
６        介在
【図１】
0003134976.tif 000003
【図２】
0003134976.tif 000004
【図３】
0003134976.tif 000005
(57)【要約】      （修正有）【課題】美的な感覚を刺激し、高級感とおみやげ品にもなる爪楊枝を提供する。【解決手段】軸２の頭部３に、こけし４等を模した装飾体を取り付けて爪楊枝１の価値観を高め、おみやげ品としても用いることができるようにする。また、この爪楊枝１を紙を折って製作した、例えば、のし形状の包装体内にこけし４の部分から下の部分を挿入することにより、祝い事などに際してはお膳に添え、雰囲気を盛り上げることができるように構成する。【選択図】図１
0003134975.tif 000002
【実用新案登録請求の範囲】
【請求項１】
軸の頭部に、こけし又は動物又は花を形どった装飾体を取り付けて成る爪楊枝。
【請求項２】
装飾体部分を除く爪楊枝を包装体内に挿入して成る請求項１に記載の爪楊枝。
【考案の詳細な説明】
【技術分野】
【０００１】
本考案は、爪楊枝の頭部に例えばこけしの頭部を取り付けることにより、爪楊枝としての機能に併せて美的な感覚を刺激し、おみやげ品として或いは旅館や料理店等においてはお客にもてなしの心が伝わるように工夫した装飾体付の爪楊枝に関するものである。
【背景技術】
【０００２】
一般の爪楊枝は、そのまま爪楊枝入れに入れるか、１本ごと包装袋に入れたものがテーブルに出されるのが普通であることから、味気ない印象がある。
そこで、爪楊枝の軸の頭部に小さい絵柄を入れたりしたものが特開２００６−２９６８６８号に掲載されている。
【０００３】
この内容は、「家庭用スプーンは、把持柄の両端部のうち一端部側の頭部にすくい部を設けたスプ−ン本体と、このスプ−ン本体の把持柄の両端部のうち他端部側の尻部に設けた収容孔に対し２本ピンを着脱可能に挿入して把持柄の尻部に支持し得る家庭用つまようじとを備え、この家庭用つまようじは２本ピンを収容孔に挿入した状態で収容孔の外側に露出する装飾部を有していることから、家庭用スプーンにおいて、家庭用つまようじの紛失を防止するとともに、把持柄を把持する際に２本ピンに触れることがなくなって２本ピンの汚れを防止し、家庭用つまようじをくり返し使用し易くすることができる。」というものである。
【０００４】
しかし、この公知の発明は、スプーンと組み合わせたものであるため、爪楊枝として使用できる場合が制限されると共に、コストも高くつき、また爪楊枝は、通常単独でテーブルやお膳等に置かれるものであることから、スプーンを使用しない食事に際しては、スプーンが不要である。
【考案の開示】
【考案が解決しようとする課題】
【０００５】
本考案の目的は、ひと際目立つ任意の装飾体を爪楊枝の頭に挿し込んで取り付けることにより、今までにない爪楊枝を演出し、特に旅館や料理店等においては、もてなしの心を爪楊枝にまで現し、あるいは観光地のおみやげ品として、箸等と同じように販売できる商品に仕上げられた爪楊枝を提供することである。
【課題を解決するための手段】
【０００６】
上記目的を達成するため、請求項１に記載の考案においては、爪楊枝において、軸の頭部に、こけし又は動物又は花を形どった装飾体を取り付けて成ることを特徴とするものである。
【０００７】
更に、請求項２に記載の考案においては、請求項１に記載の爪楊枝において、装飾体部分を除く爪楊枝を包装体内に挿入して成ることを特徴とするものである。
【０００８】
装飾体としては、こけしが代表例であるが、おみやげ品の場合には、観光地の伝説やむかし話に出てくる人物、動物あるいはその地方の特産品をイメージしたもの等を考えることができ、本考案において、この装飾体のデザインは任意である。
【考案の効果】
【０００９】
本考案に係る爪楊枝は以上のように、頭部に装飾体を取り付けたことにより、何の変哲もない爪楊枝を高級感のある、心のこもった品として旅館等では宿泊客に喜んでもらうことができる共に、観光地等ではおみやげ品としての価値も出る効果がある。
【実施例】
【００１０】
図１は、こけし４を爪楊枝１の軸２の頭部３に取り付け、こけし４を爪楊枝１の装飾体としたもので、爪楊枝１の部分は、紙を折って作ったのし飾り６内に挿入して、全体的にはこけし人形のような外観を呈している。
本実施例の場合、こけし４は、爪楊枝１の軸２の頭部３をこけし４側の孔５に挿し込んで取り付けているが、この取り付けに際しては、接着剤を用いても良いが、挿し込みを固くすれば接着剤は不要である。
爪楊枝１を包装するのし飾り６は、その他の袋あるいは任意材質、デザインのケースであっても良い。勿論、このような袋ケースを用いず、爪楊枝１だけとしても良い。
【図面の簡単な説明】
【００１１】
【図１】本考案に係る爪楊枝の説明図
【図２】本考案に係る爪楊枝をのし飾りを模した袋内に収めた状態の説明図
【符号の説明】
【００１２】
１  爪楊枝
２  軸
３  頭部
４  こけし
５  孔
６  のし飾り
【図１】
0003134975.tif 000003
【図２】
0003134975.tif 000004
(57)【要約】【課題】安価で、かつ椅子に座った状態でも邪魔にならない経机置台の提供を目的としている。【解決手段】本考案の経机を載置するための経机置台は、上面外周部に脱落防止用の縁が設けられ、かつ切り欠きが形成された板状体と、前記板状体を水平に支持し、板状体に連結された複数の支持体とからなることを特徴とする。【選択図】図３
0003134555.tif 000002
【実用新案登録請求の範囲】
【請求項１】
上面外周部に脱落防止用の縁が設けられ、かつ切り欠きが形成された板状体と、
前記板状体を水平に支持し、板状体に連結された複数の支持体と
からなる経机を載置するための経机置台。
【請求項２】
前記切り欠きをもつ板状体の形状が、略コ字状に形成されている請求項１記載の経机置台。
【請求項３】
前記支持体の接地部において、左右または前後のそれぞれの１対の支持体同士が連結部材により互いに連結されてなる請求項１または２記載の経机置台。
【考案の詳細な説明】
【技術分野】
【０００１】
本考案は、経机置台に関する。さらに詳しくは、上面外周部に脱落防止用の縁が設けられ、かつ切り欠きが形成された板状体と、前記板状体を水平に支持し、板状体に連結された複数の支持体とからなる経机を載置するための経机置台に関する。
【背景技術】
【０００２】
僧侶が読経するときに、僧侶は正座をし、お経を経机の上に広げて読経をする。しかし、僧侶が高齢であったり、足が悪い場合には、正座をして読経することができないこともあり、その場合には、椅子に座って読経することがある。そして椅子に座って読経する場合には、従来の経机では高さが低いため、経机置台を設置し、その上に経机を置くことにより、椅子に座りながら読経することが可能である。または、通常の経机よりも背の高い経机を用いることにより、椅子に座りながら読経することが可能である。
【考案の開示】
【考案が解決しようとする課題】
【０００３】
しかしながら、背の高い経机は、流通品である通常の経机に比べて高価であり、一方、従来の経机置台は、天板の形状が矩形であり、椅子に座った状態でひざや足がつかえて使用しづらいという問題点がある。
【０００４】
そこで、上記問題点に鑑みて、本考案は、安価で、かつ椅子に座った状態でも邪魔にならない経机置台の提供を目的としている。
【課題を解決するための手段】
【０００５】
本考案の経机を載置するための経机置台は、上面外周部に脱落防止用の縁が設けられ、かつ切り欠きが形成された板状体と、前記板状体を水平に支持し、板状体に連結された複数の支持体とからなることを特徴とする。
【０００６】
また、本考案の経机置台は、前記切り欠きをもつ板状体の形状が、製作の容易性の観点から略コ字状に形成されていることが好ましい。
【０００７】
また、本考案の経机置台は、前記支持体の接地部において、左右または前後のそれぞれの１対の支持体同士が連結部材により互いに連結することもできる。
【考案を実施するための最良の形態】
【０００８】
本考案の経机置台を添付図面を参照して説明する。図１は、本考案の経机置台を説明するための図であり、図２は、本考案の経机置台の一実施の形態を示す図であり、図３は、本考案の経机置台の使用状態を示す図である。
【０００９】
図１において、参照符号１は経机置台であり、Ｌ１〜Ｌ４は支持体であり、２は板状体であり、３は連結部材である。
【００１０】
経机置台１の大きさは、経机Ｔに合わせて製造することができ、特に限定されないが、幅は、４０〜６０ｃｍであることが好ましく、奥行きは、２０〜３５ｃｍであることが好ましく、高さは３０〜４０ｃｍであることが好ましい。
【００１１】
板状体２には、経机Ｔが載置される。本考案において板状体２は、図１に示されるように一部が切り欠かれているため、椅子に座った状態でもひざや足がつかえることなく読経することができる。切り欠き部分の形状は、図示のようなコの字状に限られず、矩形から半円をくり抜いたような形状でも構わず、その他経机置台として使用者の足がつかえることがない形状であればよく、特定の形状に限定されない。
【００１２】
経机置台１の板状体２には、経机を載置した場合に経机Ｔが安定するように縁Ｅが設けられている。縁Ｅの幅や高さは特に限定されない。図１では縁Ｅは板状体２の上面の外周に間断なく形成されているが、図１のように間断なく形成される必要はなく、一部欠けている状態でも本考案の目的を達成することができる。
【００１３】
板状体２は、支持体Ｌにより支えられる。支持体の本数は図１ではＬ１〜Ｌ４の４本としているが、４本に限られることはない。また、支持体Ｌの形状は、直方体になっているがものが図示されているが、かかる形状に限定されることはなく、たとえば、円柱状でも六角柱でも構わない。また、支持体Ｌに装飾を付すこともできる。支持体Ｌの太さは外観や強度に応じて適宜変更することができる。
【００１４】
板状体２と支持体Ｌの接合手段は、螺子、釘、接着剤等の従来公知のものを採用することができ、特定のものに限定されることはない。
【００１５】
経机置台１を安定させるために、支持体Ｌ１〜Ｌ４を互いに連結させることもできる。図１では、連結部材３を用いているが、連結部材３の代わりに、支持体Ｌ１〜Ｌ４の接地部にたとえば略コ字状の板状体（図示はしていない）を設け、その略コ字状の板状体で経机置台を支えることもできる。
【００１６】
図２は、本考案の経机置台１の一実施の形態を示す図である。図２における態様は、経机Ｔを載置する板状体２が２つの部分に分かれているものである。板状体２が図１にかかわる態様よりも少なくて済むので、製造コストがかからないというメリットがある。
【００１７】
また、経机Ｔを安定して載置したい場合には、２枚の板状体を連結部材３により連結することもできる。他の構成は図１の場合と同様である。
【００１８】
図３は、本考案の経机置台１の使用状態を示す図である。本考案の経机置台１は、図３のように通常の経机Ｔを経机置台１に載せ、椅子Ｃに座りながらでも読経することを可能にするものである。椅子に座りながら読経する際には、図３のように、経机置台１の上に、経机Ｔを載せ、その正面に椅子Ｃが設置される。経机Ｔは、経机置台１に設けられた縁Ｅにより安定する。さらに、従来の経机置台では、経机置台と椅子との対向する部分に切り欠きがなかったので、ひざや足がつかえてしまっていたが、本考案の切り欠きが形成された板状体、または２枚の板状体を用いることにより、椅子の正面に空間が確保されるので、足が邪魔になることはない。
【図面の簡単な説明】
【００１９】
【図１】本考案の経机置台を説明するための図である。
【図２】本考案の経机置台の一実施の形態を示す図である。
【図３】本考案の経机置台の使用状態を示す図である。
【符号の説明】
【００２０】
１    経机置台
２    板状体
３    連結部材
Ｃ    椅子
Ｅ    縁
Ｌ１、Ｌ２、Ｌ３、Ｌ４  支持体
Ｔ    経机
【図１】
0003134555.tif 000003
【図２】
0003134555.tif 000004
【図３】
0003134555.tif 000005
(57)【要約】      （修正有）【課題】チョコレ−トでメリ−ゴランドを組みたてて遊ぶことにより、完成するまでの期待感、達成感、満足感などが味わえるチョコレートを提供する。【解決手段】プラモデル風に、それぞれパ−ツをチョコレ−トで作り、組み立ては凸は凹に組み込み後は台座に載せる。チョコレートのメリーゴランドの場合、土台４の部分に上の部分を重ねたり、凹は凸に差し込み、回転させることもでき、食べることは無論、遊ぶことができる。【選択図】図１
0003134590.tif 000002
【実用新案登録請求の範囲】
チョコレ−トで花、熊、兎、とかキャラクタ−を作り、それを組み立てて動く模型で、遊ぶ、チョコレ−トに関するものである。
【考案の詳細な説明】
【０００１】  本考案は、チョコレ−トでメリ−ゴランドを作り、食べる前に組み立てて遊ぶチョコレ−トに関するものである。
【背景技術】
【０００２】従来チョコレ−トは、見た目が綺麗で愛嬌のある、熊、生物、花そしてキャラクタ−で見栄えよく、見て楽しみながら食べるだけであった。
【考案の開示】
【考案が解決しようとす課題】
【０００３】  従来チョコ−トは、見た目が綺麗で愛嬌のある、熊、兎、花とかキャラクタ−でいろいろな形で作られていますが。それは食べるまでで、長く持続しなく達成感もない。従ってチョコレ−トでメリ−ゴランドを組み立てることにより、楽しみが持続し完成すれば又満足感が得られる。そして遊ぶこともできることにより前述の欠点を解決している。
【課題を解決するための手段】
【０００４】  チョコレ−トはすぐ食べることができるが、食べるとそれで終わりだがそれを我慢して、チョコレ−トでメリ−ゴランドを組み立てる楽しみを考えると、食べることと組み立てることにより両方の利点を解決している。
【考案の効果】
【０００５】  上述のように、本考案のチョコレ−トのメリ−ゴランドは食べることは無論、遊ぶことができ又遊ぶまでの充実感や満足感が味わえる。
【考案の実施するための最良の形態】
【０００６】  それぞれのパ−ツを組み重ねたり、凹は凸に差し込むだけである。
【実施例】
【０００７】  以下、送付図面に従って説明する。図１は本考案のチョコレ−トのメリ−ゴランドの組み立てた完成品の正面図である。それを二つに分けた土台の部分が図２であり。遊ぶときは図３を図２の上にかぶせ、息を吹いたり手もしくは指で軽く回転させるようにまわすと回る。【０００８】  図４はメリ−ランドの動物であり、これを四枚用意してそれぞれ図５の差込口に凹は凸の部分に差し込む。【０００９】  本考案の一実施例は上述の如き構造からなるものであるから、食べることは無論、遊ぶこともできる。
【図面の簡単な説明】
【００１０】
【図１】本考案のチョコレ−トのメリ−ゴランドの一実施例を示す正面図である。
【図２】回転軸と土台の正面図である。
【図３】メリ−ゴランドの回転部分の正面図である。
【図４】メリ−ゴランドのキャラクタ−の馬の正面図と側面図であり、これを四枚用意する。
【図５】メリ−ゴランドの回転する部分の馬を除いた部分の正面図である。
【図６】メリ−ゴランドの回転する部分の馬を除いた部分の側面図である。
【図７】メリ−ゴランドの回転する部分の馬を除いた部分の側面図を縦半分に切った断面図である。
【図８】メリ−ゴランドの回転する部分の馬を除いた部分を下から見た図面である
【図９】回転軸と土台の側面図である。
【図１０】回転軸の側面図である。
【図１１】回転軸の平面図である。
【図１２】回転軸を下から見た図面である。
【図１３】土台を下から見た図面である。
【図１４】土台の平面図である。
【符号の説明】
【００１１】１  メリ−ゴランドの図柄
２  メリ−ゴランドの回転部分
３  回転軸
４  土台
５  メリ−ゴランドの図柄の馬の差込口
【図１】
0003134590.tif 000003
【図２】
0003134590.tif 000004
【図３】
0003134590.tif 000005
【図４】
0003134590.tif 000006
【図５】
0003134590.tif 000007
【図６】
0003134590.tif 000008
【図７】
0003134590.tif 000009
【図８】
0003134590.tif 000010
【図９】
0003134590.tif 000011
【図１０】
0003134590.tif 000012
【図１１】
0003134590.tif 000013
【図１２】
0003134590.tif 000014
【図１３】
0003134590.tif 000015
【図１４】
0003134590.tif 000016
【図１５】
0003134590.tif 000017
【手続補正書】
【提出日】平成19年5月10日(2007.5.10)
【手続補正１】
【補正対象書類名】実用新案登録請求の範囲
【補正対象項目名】全文
【補正方法】変更
【補正の内容】
【実用新案登録請求の範囲】
【請求項１】
チョコレートで花，熊、兎、とかキャラクターを作り、それを組み立てて動く模型で遊ぶメリーゴランド型のチョコレートに関するものである。
【手続補正２】
【補正対象書類名】明細書
【補正対象項目名】００１０
【補正方法】変更
【補正の内容】
【００１０】
【図１】本考案のチョコレートのメリーゴランドの一実施例を示す正面図である。
【図２】回転軸と土台の正面図である。
【図３】メリーゴランドの回転部分の正面図である。
【図４】メリーゴランドのキャラクターの馬の正面図と側面図であり、これを四枚用意する。
【図５】メリーゴランドの回転する部分の馬を除いた部分の正面図である。
【図６】メリーゴランドの回転する部分の馬を除いた部分の側面図である。
【図７】メリーゴランドの回転する部分の馬を除いた部分の側面図を縦半分に切った断面図である。
【図８】メリーゴランドの回転する部分の馬を除いた部分を下から見た図面である。
【図９】回転軸と土台の側面図である。
【図１０】回転軸の側面図である。
【図１１】回転軸の平面図である。
【図１２】回転軸を下から見た図面である。
【図１３】土台を下から見た図面である。
【図１４】土台の平面図である。
【図１５】土台を縦半分に切った断面図である。
(57)【要約】      （修正有）【課題】コンパクトで軽量なため携帯用として持ち運びが容易であり、「いつでも、どこでも」専用台、特定の場所を必要としない利便性に富んだ麻雀ゲーム具を提供する。【解決手段】一枚一枚のスティック状のプラスティック板（カ−ドタイプ）に通常麻雀牌の図柄を加工印刻表示し、コンパクトで軽量、携帯用麻雀ゲ−ム具とする。【選択図】図１
0003134582.tif 000002
【実用新案登録請求の範囲】
【請求項１】
一枚一枚のスティック状のプラスチック板（カ−ドタイプ）に通常麻雀牌の図柄を加工印刻表示したコンパクト、ハンディタイプの携帯用麻雀ゲ−ム具である。この携帯用麻雀ゲ−ム具は麻雀本来のゲ−ムを行うための麻雀専用台を必要としないことと、麻雀ゲ−ムをするための一定条件を満たす場所を問わず「いつでも、どこでも」麻雀ゲ−ムができること、また軽量でコンパクトのため携帯、持ち運びが容易であることを特徴としている。
【考案の詳細な説明】
【技術分野】
【０００１】  本考案は、ハンディタイプで一枚一枚のスティック状のプラスチック板（カ−ドタイプ）に通常麻雀牌の図柄を加工印刻表示した、軽量でコンパクトな携帯用麻雀ゲ−ム具である。
【背景技術】
【０００２】  従来の卓上型麻雀ゲ−ムは、麻雀牌そのものにそれなりの重量があること、また専用台を要すること、場所がある程度特定されること等々「いつでも、どこでも」簡単にできない、容易に携帯できないという不便さがある。
【考案の開示】
【考案が解決しょうとする課題】
【０００３】  コンパクトであること、非常に軽量であることから携帯が容易なうえ、専用台や特定の場所を必要としないこと等、前述の欠点を解決し利便性の向上につながるものである。
【課題を解決するための手段】
【０００４】  ハンディタイプで一枚一枚のスティック状のプラスチック板（カ−ドタイプ）に通常麻雀牌の図柄を加工印刻表示したコンパクトで軽量、携帯用麻雀ゲ−ム具とすることにより問題点を解決している。
【考案の効果】
【０００５】  コンパクトで軽量なため携帯用として持ち運びが容易であり、「いつでも、どこでも」専用台、特定の場所を必要としないことで非常に便利である。
【考案を実施するための最良の形態】
【０００６】  コンパクト、軽量、プラスティック板（カ−ドタイプ）であることから手に持った状態で「いつでも、どこでも」利用できる。
【実施例】
【０００７】  以下、添付図面で説明、紹介する。
【図面の簡単な説明】
【０００８】
【図１】  本考案の「ハンディスティック麻雀ゲ−ム具」の正面図である。
【符号の説明】
【０００９】  １  ハンディスティック麻雀ゲ−ム具のプラスチック板（カ−ドタイプ）
【図１】
0003134582.tif 000003
【手続補正書】
【提出日】平成19年5月11日(2007.5.11)
【手続補正１】
【補正対象書類名】実用新案登録請求の範囲
【補正対象項目名】全文
【補正方法】変更
【補正の内容】
【実用新案登録請求の範囲】
【請求項１】
一枚一枚のスティック状のプラスチック板に、麻雀牌の図柄を印刻表示したハンディスティック麻雀ゲ−ム具である。